(57)【要約】      （修正有）【課題】ゴンドラの動力源となる電力を電力会社以外から供給して、電力費用の低額化を図るとともに建築物の屋上のスペースを有効に利用することができるゴンドラ装置を提供する。【解決手段】ゴンドラ装置は、建築物1の屋上に設けられた平行する２本のレール3と、２本のレール3上に移動可能に設置されたゴンドラ4とを有する。さらに、ゴンドラ装置は、２本のレール3間にゴンドラ4の移動方向に並んで設置された複数の太陽電池モジュール5と、ゴンドラ4と太陽電池モジュール5との間に接続されて太陽電池モジュール5により発生した電力をゴンドラ4へ供給する電力供給装置6とを備えている。【選択図】図１
2012097440.tif 000002
【特許請求の範囲】
【請求項１】
建築物の屋上に設けられた平行する２本のレールと、２本のレール上に移動可能に設置されたゴンドラを備えたゴンドラ装置において、
２本のレール間にゴンドラの移動方向に並んで設置された複数の太陽電池モジュールと、ゴンドラと太陽電池モジュールとの間に接続されて太陽電池モジュールにより発生した電力をゴンドラへ供給する電力供給装置とを備えていることを特徴とするゴンドラ装置。
【請求項２】
屋上床面に複数の基礎台が並んで配設され、複数の基礎台に２本のレールが架け渡されて設けられている請求項１のゴンドラ装置。
【請求項３】
２本のレールの下部にそれぞれ一体化されたブラケット間に、支持部材が渡し止められており、支持部材の上に太陽電池モジュールが設置されている請求項１または２のゴンドラ装置。
【請求項４】
電力供給装置が、太陽電池モジュールにより発生した電力を蓄えておくための蓄電池および商用電源と接続されて、太陽電池モジュール、蓄電池および商用電源からの電力をゴンドラへ供給できるようになっている請求項１から３のいずれかに記載のゴンドラ装置。
【発明の詳細な説明】
【技術分野】
【０００１】
この発明は、建築物の窓外および外壁面のメンテナンスなどのために使用されるケージを昇降移動させるためのゴンドラを備えたゴンドラ装置に関する。
【背景技術】
【０００２】
従来、ビルなどの建築物の壁面の構築、補修や窓拭きなどの高所作業を安全かつ能率的に行うために、ケージを建築物の壁面に沿って移動させるゴンドラを用いることが多く、一定の高さに設置したり昇降機構を設けて昇降可能としたり、さらに必要に応じて昇降だけでなく左右の移動も可能とすることを組み合わせて移動させることで広範囲の作業を行うことができるようにしている。
【０００３】
ゴンドラ装置の一つとして、例えば、建築物の屋上に敷設されたレール上に設けられたゴンドラから吊りワイヤを介してケージを吊り下げ支持して構成されたものがある。ゴンドラは、吊りワイヤの操出・巻取り機構を有するクレーン部を備えており、操出・巻取り機構により吊りワイヤの操出・巻取りを行うことによってケージを昇降させると共に、レールに沿う走行によってケージを水平方向に移動させる構成となっている。さらに、従来のゴンドラ装置は太陽電池モジュールをゴンドラのレール間に設置する構成となっていなかった。（特許文献１参照）
【先行技術文献】
【特許文献】
【０００４】
【特許文献１】特開２０００−３２０１３３号公報
【発明の概要】
【発明が解決しようとする課題】
【０００５】
上記のようなゴンドラ装置は、動力源の電力をすべて電力会社から供給していたので、消費電力の費用が高額なものとなっていた。さらに、建築物の屋上にゴンドラ装置が設置されると屋上のスペースが減少し、空調設備などの機器を設置すると、さらにスペースが減少することとなり、太陽電池モジュールを設置することが困難となった。そのため、電力費用を低額にするとともに建築物の屋上のスペースを有効に利用することが望まれていた。
【０００６】
この発明は、ゴンドラの動力源となる電力を電力会社以外から供給して、電力費用の低額化を図るとともに建築物の屋上のスペースを有効に利用することができるゴンドラ装置を提供することにある。
【課題を解決するための手段】
【０００７】
この発明によるゴンドラ装置は、建築物の屋上に設けられた平行する２本のレールと、２本のレール上に移動可能に設置されたゴンドラを備えたゴンドラ装置において、２本のレール間にゴンドラの移動方向に並んで設置された複数の太陽電池モジュールと、ゴンドラと太陽電池モジュールとの間に接続されて太陽電池モジュールにより発生した電力をゴンドラへ供給する電力供給装置とを備えていることを特徴とするものである。
【０００８】
例えば、電力供給装置は、ゴンドラに電力を供給するための給電箱を介してゴンドラと接続され、電力供給装置は接続箱を介して太陽電池モジュールと接続される。接続箱は、１つの太陽電池モジュールに対して１つ設けられてもよく、複数の太陽電池モジュールに対して１つ設けられてもよい。給電箱は、屋上の所定箇所に１つ設置されてもよく、屋上に複数、例えば、屋上の四方に１つずつ設置されてもよい。
【０００９】
ゴンドラは、太陽電池モジュールに跨った状態でレール上に配置される。ゴンドラに跨られている太陽電池モジュールは、太陽光がゴンドラに遮断されて電力を発生しないことがあるが、他の太陽電池モジュールが、太陽光の照射によって電力を発生する。
【００１０】
好ましくは、太陽電池モジュールは、太陽光が直角に近い角度で照射されるように、南向きに、かつ、屋上床面に対して例えば２０度〜３０度の角度をなすように配置される。
【００１１】
従来のゴンドラ装置は、建築物の屋上に空調設備などの機器を設置すると、太陽電池モジュールを設置する十分なスペースが無くなり、太陽電池モジュールを設置することが困難となるものであった。これにより、動力源の電力をすべて電力会社から供給していたので、電力コストが掛かっていた。
【００１２】
これに対して、この発明によるゴンドラ装置では、２本のレール間に太陽電池モジュールが設置せれるので、屋上の設置スペースを有効に利用して太陽電池モジュールを設置することができる。これにより、新設ビルのみならず既設ビルにも太陽電池モジュールを設置することができる。また、ゴンドラ装置に使用する全ての電力あるいは一部の電力を太陽電池モジュールによって発生させることができるので、電力の低コスト化を図ることができる。
【００１３】
この発明のゴンドラ装置において、屋上床面に複数の基礎台が並んで配設され、複数の基礎台に２本のレールが架け渡されて設けられていることが好ましい。
【００１４】
基礎台は、重量物であるゴンドラが走行できるように強固なものとして製造され、通常、屋上床面に対する基礎台のアンカー部には防水処理が施されている。
【００１５】
近年太陽電池モジュールを設置する建築物が増加しており、太陽電池モジュールを設置するには風圧や地震の荷重を考慮した台が必要である。既設ビルの屋上に太陽電池モジュールを設置する場合、基礎台を使用することにより、ゴンドラの荷重以外に特別な強度を有する台を製作することなく太陽電池モジュールを設置することができる。
【００１６】
複数の基礎台は、例えば、屋上の平面形状が四角形であれば、屋上の形状に対応して略四角形状を形成するように並んで設置される。この場合、２本のレールも複数の基礎台の位置に合わせて略四角形状となるように架け渡される。２本のレールは、アンカーボルトを使用して基礎台に固定される。太陽電池モジュールは、略四角形に設置されたレールのコーナー部分にも設置可能である。
【００１７】
屋上に設置された複数の基礎台の周方向内側部分には、垂直に延びた手すりを端部に有する歩廊が備えられてもよく、さらに、所定位置に設けられた歩廊の上面には、給電箱が設置されてもよい。
【００１８】
ゴンドラには、電力を供給する電源ケーブルが延びて設けられる。電源ケーブルの長さよりも短い間隔で給電箱が設置され、電源ケーブルのプラグと給電箱のレセクタブル（プラグ受け）とが接続される。
【００１９】
ゴンドラを移動させる際は、ゴンドラを移動させる前に給電箱から電源ケーブルを抜き、移動した後に最も近くに位置する給電箱と電源ケーブルとを接続するようにする。
【００２０】
この発明のゴンドラ装置において、２本のレールの下部にそれぞれ一体化されたブラケット間に、支持部材が渡し止められており、支持部材の上に太陽電池モジュールが設置されていることが好ましい。
【００２１】
レールは、例えば、断面Ｉ字状とされる。２本のＩ字状レールの下側フランジの上面にブラケットがそれぞれ対向して設けられ、このブラケットに支持部材が、例えばボルトによって渡り止められる。ブラケットとレールとは、例えば溶接によって取り付けられ、太陽電池モジュールの支柱と支持部材とは、例えば、溶接またはボルトによって取り付けられる。
【００２２】
このようにすれば、太陽電池モジュールを屋上床面や基礎台に設置する必要が無く、太陽電池モジュールの設置作業が容易である。
【００２３】
しかし、太陽電池モジュールは、屋上床面あるいは基礎台に固定された支柱などの支持部材の上に設置されてもよい。支持部材が屋上床面に固定される場合、アンカー部に防水処理が施される。
【００２４】
この発明のゴンドラ装置において、電力供給装置が、太陽電池モジュールにより発生した電力を蓄えておくための蓄電池および商用電源と接続されて、太陽電池モジュール、蓄電池および商用電源からの電力をゴンドラへ供給できるようになっていることが好ましい。
【００２５】
電力供給装置は、例えば、太陽電池モジュールにより発生した電力をゴンドラに利用できるように変換するパワーコンディショナと、パワーコンディショナに接続されてゴンドラに利用できるように変換された電力の総電力量を測定する総発電電力量計と、総発電電力量計と接続されて電力を安全に利用するための漏電遮断器（漏電ブレーカ）および配線用遮断器（安全ブレーカ）を１つにまとめた分電盤とを備える。
【００２６】
電力供給装置は、接続箱を介して蓄電池と接続される。蓄電池は、必要な数だけ接続箱と接続されており、複数もしくは１つの接続箱に対して接続される。この発明のゴンドラ装置は、太陽電池モジュールからの電力を蓄電池に蓄えておくとともにゴンドラへ供給してもよく、電力を蓄電池に蓄えずにゴンドラへ供給してもよく、電力をゴンドラへ供給せずに蓄電池に蓄えてもよい。
【００２７】
電力供給装置が蓄電池と接続されると、太陽電池モジュールによって発生した電力を蓄電池に蓄えておくことができる。これにより、悪天候で太陽電池モジュールからの電力が不足する場合に、蓄電池から電力を供給してゴンドラを稼働することができる。
【００２８】
また、電力供給装置が商用電源と接続されると、太陽電池モジュールにより発生した電力がゴンドラを稼働させるのに不十分であった場合や蓄電池の電力が不十分であった場合でも、商用電源から不足していた電力をゴンドラへ供給することができるので、ゴンドラを稼働させることができる。
【００２９】
電力供給装置は、売電用電力量計および買電用電力量計（一般家庭電力量計）を備えてもよい。この場合、分電盤と売電用電力量計とが接続され、売電用電力量計と買電用電力量計とが接続される。売電用電力量計および買電用電力量計は、太陽電池モジュールにより発生した電力を売買する際に利用される。売電は、電力を分電盤から売電用電力量計、売電用電力量計から買電用電力量計、買電用電力量計から電力会社の順序で供給される。買電は、売電する場合の逆の順序、すなわち電力を電力会社から買電用電力量計、買電用電力量計から売電用電力量計、売電用電力量計から分電盤の順序で送り込まれる。
【発明の効果】
【００３０】
この発明のゴンドラ装置によると、２本のレール間にゴンドラの移動方向に並んで設置された複数の太陽電池モジュールと、ゴンドラと太陽電池モジュールとの間に接続されて太陽電池モジュールにより発生した電力をゴンドラへ供給する電力供給装置とを備えているので、ゴンドラを稼働させる電力の全てを電力会社から供給する必要がなくなり、ゴンドラの稼働に必要な電力費用を低減させることができる。さらに、太陽電池モジュールは２本のレール間に設置されるので、従来利用されていなかったスペースを有効に利用するとともに新設ビルや既設ビルの屋上に太陽電池モジュールを設置することができる。
【図面の簡単な説明】
【００３１】
【図１】図１は、この発明によるゴンドラ装置の第１実施形態を示す側面図である。
【図２】図２は、太陽電池モジュールが建築物の屋上に設置された状態を示す平面図である。
【図３】図３は、図２のＩＩＩ−ＩＩＩ線に沿う太陽電池モジュールを示す側面図である。
【図４】図４は、図２のＩＶ―ＩＶ線に沿う太陽電池モジュールを示す正面図である。
【図５】図５は、図２のＶ−Ｖ線に沿う太陽電池モジュールを示す側面図である。
【図６】図６は、ゴンドラ装置の接続状態を示すブロック図である。
【図７】図７は、電力供給装置の接続状態を示すブロック図である。
【図８】図８は、この発明によるゴンドラ装置の異なる実施の形態を示しており、屋上の南側に位置する太陽電池モジュールを示す側面図である。
【発明を実施するための形態】
【００３２】
以下、この発明の実施形態について図面を参照して説明する。
【００３３】
以下の説明において、上下とは、図１の上下をいうものとし、図１の紙面裏側を前、紙面表側を後といい、後から前を見たときの左右を左右というものとする。また、図２の上を北、下を南といい、同図の右を東、左を西というものとする。
【００３４】
図１から図７は、第１実施形態のゴンドラ装置を示す。
【００３５】
図１、図３および図６に示すように、ゴンドラ装置は、建築物(1)の屋上床面に所定の間隔を空けて環状に設置された複数の基礎台(2)と、複数の基礎台(2)の上面に架け渡されて無端状に設けられた平行するI形鋼からなる２本のレール(3)と、２本のレール(3)上に水平移動可能に配置されたゴンドラ(4)と、ゴンドラ(4)を稼働させる電力を発生する複数の太陽電池モジュール(5)と、太陽電池モジュール(5)により発生した電力をゴンドラ(4)へ供給する電力供給装置(6)とを有している。
【００３６】
図１に示すように、基礎台(2)の断面は、逆凸状を成しており、基礎台(2)の突出した周方向内側部分には、垂直に延びた手すり(7)を端部に設けた歩廊(8)が備えられ、歩廊(8)の上面には、ゴンドラ(4)に電力を供給する給電箱(9)が設置されている。歩廊(8)は、全ての基礎台(2)に備えられている。給電箱(9)は、所定の歩廊(8)に設置されている。屋上床面に対する基礎台(2)のアンカー部には、防水処理が施されている。
【００３７】
ゴンドラ(4)は、２本のレール(3)上に移動可能に配置された台車走行部(10)と、台車走行部(10)の上に結合された走行本体部(11)と、走行本体部(11)と連結されてワイヤロープ(12)を備えたクレーン部(13)と、クレーン部(13)により建築物(1)の屋上からに吊り下げ支持されたケージ(14)とから構成されている。
【００３８】
台車走行部(10)は、走行本体部(11)を載置する走行基台(15)と、走行基台(15)の左右両側にそれぞれ前後方向に延びる車輪脚(16)（左側車輪脚(16a)および右側車輪脚(16b)）が固定されると共に、両車輪脚(16a)(16b)の端部に各々駆動車輪ユニット(17)が装着されて構成されている。
【００３９】
駆動用車輪ユニット(17)は、下面側に開放する直方体状の車輪収容体(18)の内部に主車輪(19)が水平な回転軸で回転自在に収容されると共に、車輪収容体(18)の前後両側に固定されたサイドローラ(20a)およびフックローラ(20b)を備える一対の側部ローラユニット(20)が対向して配設されることで構成されている。
【００４０】
側部ローラユニット(20)は、レール(3)の垂直面を挟むように一対のフックローラ(20b)が水平軸回りに回転自在に装着されると共に、水平面にフックローラ(20b)を挟むように一対のサイドローラ(20a)が鉛直軸回りに回転自在に装着されており、レール(3)の上側フランジ(3a)の上面に主車輪が載った状態で、上側フランジ(3a)をサイドローラ(20a)が挟むと共に上側フランジ(3a)の下面にフックローラ(20b)が位置し、レール(3)に脱落不能に係合するようになっている。
【００４１】
走行本体部(11)は、台車走行部(10)に対して鉛直軸回りに旋回可能となるように構成されている。また、走行本体部(11)には、給電箱(9)に接続される電源ケーブル(21)が延びており、電源ケーブル(21)の長さは約３０ｍとなっている。給電箱(9)は、屋上に複数設置されており、電源ケーブル(21)の長さ（３０ｍ）よりも短い間隔で設置されている。電源ケーブル(21)のプラグ(21a)は、給電箱(9)のレセクタブル（プラグ受け）(9a)と接続されている。
【００４２】
ケージ(14)は、建築物(1)の外壁のメンテナンスや窓ガラスの清掃を行う作業者が搭乗することができるような構造となっている。ケージ(14)の昇降移動は、ゴンドラ(4)の内部に設けられたゴンドラ昇降機構（図示略）によって、ワイヤロープ(12)を巻き取り・繰り出しすることにより行われている。
【００４３】
図２に示すように、２本のレール(3)が、建築物(1)の屋上の周縁に沿って略四角形となるように配設された複数の基礎台(2)の上に、環状に配設されている。２本のレール(3)間には太陽電池モジュール(5)が複数並んで設けられている。同図の二点鎖線で示すように、ケージ(14)が、建築物(1)の壁面に沿うように位置した状態で、ゴンドラ(4)は２本のレール(3)上に設けられており、このゴンドラ(4)がレール(3)上を水平移動できるようになっている。
【００４４】
図示は省略するが、ゴンドラ(4)を移動させる際、電源ケーブル(21)は、ゴンドラ(4)を移動させる前に給電箱(9)からを抜き、移動した後に最も近くにある給電箱(9)と接続するようにする。
【００４５】
図３に示すように、屋上の南側に設置された太陽電池モジュール(5)は、南側の両端に設けられた２本の支柱(23)と、北側の両端に設けられた２本の支柱(23)とで支持されている。この太陽電池モジュール(5)は、太陽光が直角に近い角度で照射されるように、南向きに、かつ、屋上床面に対して２０度から３０度の角度をなすように配置されている。太陽電池モジュール(5)の角度は、自由に調整できるものとされている。
【００４６】
太陽電池モジュール(5)が南側に傾いて設けられていることにより、太陽光が太陽電池モジュール(5)に対してほぼ垂直に照射するようになり発電効率が向上する。
【００４７】
なお、図２に示した屋上の北側に設置された太陽電池モジュール(5)は、南側に設置された太陽電池モジュール(5)と同様であるので、その説明を省略する。
【００４８】
I形鋼からなる２本のレール(3)は、２枚の鉄板(24)を介して基礎台(2)の上に設けられており、鉄板(24)はアンカーボルト(25)で固定されている。鉄板(24)とレール(3)とは溶接などで強固に固定されている。
【００４９】
２本のレール(3)の下側フランジの上面に、ブラケット(27)がそれぞれ対向して設けられている。２本のレール(3)の間に、ブラケット(27)間の距離と同じ長さを有する支持部材(28)が、一方のレール(3)の下側フランジ(3b)の上面から他方のレール(3)の下側フランジ(3b)の上面に架け渡されてボルトによってブラケット(27)に止められている。
【００５０】
太陽電池モジュール(5)の支柱(23)と支持部材(28)とは溶接で接合されており、各レール(3)とブラケット(27)とは溶接で接合されている。
【００５１】
１枚の太陽電池モジュール(5)に設けられた支柱(23)において、支持部材(28)は、前方に位置する南側の１本の短い支柱(23)および北側の１本の長い支柱(23)が１つの支持部材(28)で支持されており、同様に、後方に位置する南側の１本の短い支柱(23)および北側の１本の長い支柱(23)が１つの支持部材(28)で支持されている。
【００５２】
図３および図４に示すように、ブラケット(27)の裏側一端部は、下側フランジ(3b)の傾斜した上面に対応して、上方に傾斜して形成されており、さらにブラケット(27)の裏側他端部は、アンカーボルト(25)を締結するナット(26)と干渉しないように上方に傾斜して形成されている。
【００５３】
図５に示すように、屋上の東側に設置された複数の太陽電池モジュール(5)は、図３に示した南側に設置された太陽電池モジュール(5)と同様に、４本の支柱(23)で支持されている。太陽電池モジュール(5)は、太陽光が直角に近い角度で照射されるように、南向きに、かつ、屋上床面に対して２０度から３０度の角度をなすように配置されている。太陽電池モジュール(5)の角度は、自由に調整できるものとされている。太陽電池モジュール(5)が傾いて設けられていることにより、太陽光が太陽電池モジュール(5)にほぼ垂直に照射するようになり発電効率が向上する。屋上の西側に設置された複数の太陽電池モジュール(5)は東側に設置された複数の太陽電池モジュール(5)と同様であるので、その説明を省略する。
【００５４】
また、同図に示すように、支持部材(28)は、断面L字形状となっており、L字が反転した状態で２本のレール(3)間にブラケット(27)を介して設けられている。支持部材(28)は、１枚の太陽電池モジュール(5)に設けられた支柱(23)において、南側に位置する２本の短い支柱(23)が１つの支持部材(28)で支持されるように設けられており、北側に位置する２本の長い支柱(23)が１つの支持部材(28)で支持されるように設けられている。
【００５５】
図６に示すように、電力供給装置(6)は、接続箱(29)を介して太陽電池モジュール(5)と、給電箱(9)を介してゴンドラ(4)と、商用電源(30)と接続されている。電力供給装置(6)は、太陽電池モジュール(5)、ゴンドラ(4)および商用電源(30)のいずれからでも電力をゴンドラ(4)へ供給することができる構成となっている。
【００５６】
接続箱(29)は、１つの太陽電池モジュール(5)に対して１つ設けられている。また、複数の接続箱(29)に対して、１つの蓄電池(31)が接続されている。
【００５７】
図７に示すように、電力供給装置(6)は、接続箱(29)と接続されて太陽電池モジュール(5)により発生した電力をゴンドラ(4)に利用できるように変換するパワーコンディショナ(32)と、パワーコンディショナ(32)と接続されてゴンドラ(4)に利用できるように変換された総電力量を測定する総発電電力量計(33)と、総発電電力量計(33)と接続されて電力を安全に利用するために漏電遮断器（漏電ブレーカ）および配線用遮断器（安全ブレーカ）を１つにまとめた分電盤(34)とから構成されている。
【００５８】
蓄電池(31)は、晴天の日に太陽電池モジュール(5)により発生した電力を蓄えておくことで、悪天候の日であっても蓄えておいた電力を利用することができる。これにより天候によらず商用電源(30)以外から電力を供給してゴンドラ(4)を稼働させることができる。蓄電池(31)の電力を利用する場合、電力は蓄電池(31)から接続箱(29)へ放電され、パワーコンディショナ(32)、総発電電力量計(33)、分電盤(34)および給電箱(9)を巡回してゴンドラ(4)へ供給される。
【００５９】
電力供給装置(6)を構成する分電盤(34)は、総発電電力量計(33)のほかに給電箱(9)と接続されており、太陽電池モジュール(5)から発生した電力を給電箱(9)からゴンドラ(4)へ供給するように構成されている。    
さらに分電盤(34)は、商用電源(30)とも接続されており、ゴンドラ(4)を稼働させる電力量が不足した場合に、必要な電力を商用電源(30)から利用できる構成となっている。商用電源(30)の電力は、電力供給装置(6)から給電箱(9)を巡回してゴンドラ(4)に供給される。
【００６０】
以上のような構成によると、太陽電池モジュール(5)から発生する電力を利用してゴンドラ(4)を稼働させることができるので、ゴンドラ(4)の稼働に必要な電力の全てを電力会社から供給する必要がなくなり電力費用を低減させることができる。さらに、太陽電池モジュール(5)は２本のレール(3)間に設置されるので、スペースを有効に利用することができる。また、支持部材(28)を利用することにより太陽電池モジュールを屋上床面や基礎台に設置する必要が無く、太陽電池モジュールの設置作業が容易となる。
【００６１】
次に、この発明の第２の実施形態について説明する。第１の実施形態と同じ構成については、その説明を省略する。
【００６２】
図８に示すように、支持部材を使用せずに太陽電池モジュール(5)が設置されており、太陽電池モジュール(5)は４本の支柱(23)を介して２本のレール(3)の間に位置して基礎台(2)に直接取り付けられている。太陽電池モジュール(5)の支柱(23)と基礎台(2)とは、アンカーボルト(25)をナット(26)で締結することにより強固に結合されている。
【００６３】
上記のような構成によると、太陽電池モジュール(5)から発生する電力を利用してゴンドラ(4)を稼働させることができるので、電力の全てを電力会社から供給する必要がなくなり電力費用を低減させることができる。さらに、太陽電池モジュール(5)は２本のレール(3)間に設置されるので、スペースを有効に利用することができる。また、太陽電池モジュール(5)を基礎台(2)に直接取り付けることにより、支持部材が不要となるのでゴンドラ装置の部品点数を少なくすることができ、より低コスト化を図ることができる。
【符号の説明】
【００６４】
(1)        建築物
(2)        基礎台
(3)        レール
(4)        ゴンドラ
(5)        太陽電池モジュール
(6)        電力供給装置
(27)        ブラケット
(28)        支持部材
(30)        商用電源
(31)        蓄電池
【図１】
2012097440.tif 000003
【図２】
2012097440.tif 000004
【図３】
2012097440.tif 000005
【図４】
2012097440.tif 000006
【図５】
2012097440.tif 000007
【図６】
2012097440.tif 000008
【図７】
2012097440.tif 000009
【図８】
2012097440.tif 000010